(57)【要約】【課題】フェンス本体の枠体が面内方向に変位し難いものとする。【解決手段】上枠１０と下枠２０と左右の縦枠３０より成る枠体１内に閉塞部材２を取付けたフェンス本体３であって、前記上枠１０の下面板１０ｄと縦枠３０の上部に相互に嵌まり合う切欠凹部１７と上切欠凹部３５を形成し、前記下枠２０の上面板２０ｄと縦枠３０の下部に相互に嵌まり合う切欠凹部２７と下切欠凹部３６を形成し、前述の切欠凹部１７と上切欠凹部３５及び切欠凹部２７と下切欠凹部３６をそれぞれ嵌め合わせることで縦枠３０の上部と上枠１０を連結すると共に、縦枠３０の下部と下枠２０を連結して枠体１としたフェンス本体である。【選択図】図５
2005315008.tif 000002
【特許請求の範囲】
【請求項１】
上枠、下枠と左右の縦枠を連結した枠体内に閉塞部材を取付けたフェンス本体であって、
前記上枠の下面板に形成した切欠凹部と縦枠の上部に形成した上切欠凹部が相互に嵌まり合って縦枠の上部が上枠の中空部に嵌まり込むようにして連結され、
前記下枠の上面板に形成した切欠凹部と縦枠の下部に形成した下切欠凹部が相互に嵌まり合って縦枠の下部が下枠の中空部に嵌まり込むようにして連結されていることを特徴とするフェンス本体。
【請求項２】
縦枠は一側面板と他側面板と一端面板で断面ほぼコ字形状で、その一側面板、他側面板の端部に内向片をそれぞれ備え、
前記一側面板、他側面板の上部と下部に上切欠凹部、下切欠凹部が形成され、
上枠の下面板には前記内向片が係合する下向き突起が形成され、
下枠の上面板には前記内向片が係合する上向きの突起が形成されている請求項１記載のフェンス本体。
【請求項３】
上枠は、縦枠の上部が嵌まり込む下中空部と、この下中空部よりも上の上中空部を有し、
下枠は、縦枠の下部が嵌まり込む上中空部と、この上中空部よりも下の下中空部を有する請求項１記載のフェンス本体。
【請求項４】
上枠、下枠と左右の縦枠を連結した枠体内に閉塞部材を取付けたフェンス本体であって、
上枠と縦枠の上部が面内方向に向かうビスで連結され、
下枠と縦枠の下部が面内方向に向かうビスで連結されていることを特徴とするフェンス本体。
【発明の詳細な説明】
【技術分野】
【０００１】
本発明は、枠体に、ラチス格子、井桁格子、縦格子、パネル等の閉塞部材が取付けられ、柱に取付けることでフェンスを構成するフェンス本体に関する。
【背景技術】
【０００２】
特許文献１に開示されたフェンス本体が知られている。
このフェンス本体は、上枠と下枠と左右の縦枠より成る枠体に、ラチス格子を取付けたものである。
【０００３】
【特許文献１】実開昭６２−１８７０５４号公報
【発明の開示】
【発明が解決しようとする課題】
【０００４】
前述した従来のフェンス本体は、上枠、下枠が取付片を備えた形材で、この取付片からビスを縦枠に螺合して上枠、下枠と縦枠を連結して枠体とし、その枠体にラチス格子を取付けている。
このように、ビス締めによって取付片と縦枠を押しつけて縦枠と上枠、下枠を連結しているから、そのビスを中心として取付片と縦枠が面内方向に回動し易く、その連結強度が弱く、枠体が面内方向に変形し易い。
【０００５】
本発明の目的は、枠体が面内方向に変形し難いフェンス本体を提供することである。
【課題を解決するための手段】
【０００６】
第１の発明は、上枠、下枠と左右の縦枠を連結した枠体内に閉塞部材を取付けたフェンス本体であって、
前記上枠の下面板に形成した切欠凹部と縦枠の上部に形成した上切欠凹部が相互に嵌まり合って縦枠の上部が上枠の中空部に嵌まり込むようにして連結され、
前記下枠の上面板に形成した切欠凹部と縦枠の下部に形成した下切欠凹部が相互に嵌まり合って縦枠の下部が下枠の中空部に嵌まり込むようにして連結されていることを特徴とするフェンス本体である。
【０００７】
前述した第１の発明のフェンス本体においては、その縦枠は一側面板と他側面板と一端面板で断面ほぼコ字形状で、その一側面板、他側面板の端部に内向片をそれぞれ備え、
前記一側面板、他側面板の上部と下部に上切欠凹部、下切欠凹部が形成され、
上枠の下面板には前記内向片が係合する下向き突起が形成され、
下枠の上面板には前記内向片が係合する上向きの突起が形成されていることが好ましい。
【０００８】
このようにすれば、縦枠の上部、下部を上枠、下枠の中空部に押し込むことで切欠凹部と上下切欠凹部がそれぞれ嵌まり合うと共に、内向片が上向き突起、下向き突起に係合して面内方向に外れないように連結されるから、その連結作業が容易である。
【０００９】
前述した第１の発明のフェンス本体においては、その上枠は、縦枠の上部が嵌まり込む下中空部と、この下中空部よりも上の上中空部を有し、
下枠は、縦枠の下部が嵌まり込む上中空部と、この上中空部よりも下の下中空部を有することが好ましい。
【００１０】
このようにすれば、上枠の上中空部、下枠の下中空部を利用して上枠金具、下枠金具、上連結具、下連結具、上エンドキャップ、下エンドキャップ、上コーナー継手、下コーナー継手などを取付けできる。
【００１１】
第２の発明は、上枠、下枠と左右の縦枠を連結した枠体内に閉塞部材を取付けたフェンス本体であって、
上枠と縦枠の上部が面内方向に向かうビスで連結され、
下枠と縦枠の下部が面内方向に向かうビスで連結されていることを特徴とするフェンス本体である。
【発明の効果】
【００１２】
第１・第２の発明によれば、枠体が面内方向に変位し難いフェンス本体である。
【発明を実施するための最良の形態】
【００１３】
図１に示すように、枠体１に閉塞部材２、例えば縦格子２ａと横格子２ｂを連結した井桁格子を取付けてフェンス本体３としてある。
前記枠体１は上枠（上胴縁）１０と下枠（下胴縁）２０と左右の縦枠３０によって方形枠形状である。
前記閉塞部材２は図２に示すように、格子２ｃを斜めに連結したラチス格子でも良いし、図示しないがパネル等であっても良い。
前記フェンス本体３は柱、例えば自由柱４に取付けてフェンスを構成する。図１、図２では複数のフェンス本体３を連結してフェンスとしている。
図１において、紙面に沿う方向を面内方向（見付け方向）とし、紙面と直交する方向を面外方向（見込み方向）とする。
【００１４】
次に、フェンス本体３の詳細を説明する。なお、自由柱４の図示は省略する。
前記上枠１０は図３に示すように、中間横板１０ａを境として上中空部１０ｂと下中空部１０ｃを有し、その下面板１０ｄに形成した切欠部から閉塞部材、例えば縦格子２ａの上部が下中空部１０ｃ内に突出している。
この実施の形態では、前述の上枠１０は、上枠本体１１と上枠アタッチメント１２で構成してある。
前記上枠本体１１は、中空形状の上部１３と、鉤形状の下部１４を備えている。
前記上部１３は、上面板１３ａと下面板１３ｂと見込み方向の一側面板１３ｃと他側面板１３ｄで矩形断面形状で、前述の上中空部１０ｂを形成していると共に、下面板１３ｂが前述の中間横板１０ａである。
前記下部１４は、縦板１４ａと下横板１４ｂで鉤形状で、その下横板１４ｂの一側部と前記下面板１３ｂの一側部に亘って上枠アタッチメント１２が取付けられ、前述の下中空部１０ｃを形成している。つまり、下横板１４ｂが前述の下面板１０ｄである。
例えば、上部１３の下面板１３ｂの一側部に上係止部１５、下部１４の下横板１４ｂの一側部に下係止部１６をそれぞれ形成し、上枠アタッチメント１２の上係止片１２ａ、下係止片１２ｂをそれぞれ係止することで取付ける。
前記上部１３の一側面板１３ｃと上枠アタッチメント１２は面一である。
【００１５】
前記下枠２０は図３に示すように、中間横板２０ａを境として下中空部２０ｂと上中空部２０ｃを有し、その上面板２０ｄに形成した切欠部から閉塞部材、例えば縦格子２ａの下部が上中空部２０ｃ内に突出している。
この実施の形態では、前述の下枠２０は、下枠本体２１と下枠アタッチメント２２で構成してある。
前記下枠本体２１は、中空形状の下部２３と、鉤形状の上部２４を備えている。
前記下部２３は、下面板２３ａと上面板２３ｂと見込み方向の一側面板２３ｃと他側面板２３ｄで矩形断面形状で、前述の下中空部２０ｂを形成していると共に、上面板２３ｂが前述の中間横板２０ａである。
前記上部２４は、縦板２４ａと上横板２４ｂで鉤形状で、その上横板２４ｂの一側部と前記上面板２３ｂの一側部に亘って下枠アタッチメント２２が取付けられ、前述の上中空部２０ｃを形成している。つまり、上横板２４ｂが前述の上面板２０ｄである。
例えば、下部２３の上面板２３ｂの一側部に下係止部２５、上部２４の上横板２４ｂの一側部に上係止部２６をそれぞれ形成し、下枠アタッチメント２２の下係止片２２ａ、上係止片２２ｂをそれぞれ係止することで取付ける。
前記下部２３の一側面板２３ｃと下枠アタッチメント２２は面一である。
つまり、上枠１０と下枠２０は上下方向にほぼ対称形状である。
【００１６】
前記縦枠３０は図４に示すように、見込み方向の一側面板３１と他側面板３２と見付け方向の一端面板３３で他端面側が開口した断面ほぼコ字形状で、その開口部３０ａから閉塞部材、例えば横格子２ｂの端部が挿入される。
この実施の形態では一側面板３１の他端部に内向片３１ａ、他側面板３２の他端部に内向片３２ａを有している。この実施の形態では内向片３１ａ，３２ａはくの字形状であるが、鉤形状でも良いし、内向片３１ａ，３２ａは設けなくとも良い。
前記縦枠３０の一側面板３１と他側面板３２との間の寸法、つまり見込み寸法は前述の上枠１０の下中空部１０ｃ、下枠２０の上中空部２０ｃの見込み寸法よりも小さく、その縦枠３０は前述の各下中空部１０ｃ、上中空部２０ｃ内に嵌まり込む。
【００１７】
この実施の形態では、縦枠３０の開口部３０ａにカバー体３４が嵌合して取付けられて見栄えを良くしているが、これに限ることはない。
例えば、前記カバー体３４は見込み方向に向かう第１板３４ａと見付け方向に向かう第２板３４ｂで鉤形状で、その第１板３４ａが開口部３０ａに嵌合すると共に、第２板３４ｂが一端面板３３に当接する。
前記第１板３４ａに横格子２ｂが挿通する切欠部３４ｃが形成してある。
【００１８】
次に、前記上枠１０、下枠２０と縦枠３０の連結について説明する。
図５に示すように、上枠１０の下面板１０ｄ（下部１４の下横板１４ｂと上枠アタッチメント１２の下係合片１２ｂ）の長手方向端部における見込み方向両側寄りに一対の切欠凹部１７と一対の下向き突起１８を形成する。
前記縦枠３０の一側面板３１、他側面板３２の上部寄りに上切欠凹部３５をそれぞれ形成する。
そして、縦枠３０の上部を上枠１０の下中空部１０ｃに挿入することで、図６に示すように各上切欠凹部３５と前述の上枠１０の切欠凹部１７が相互に嵌まり合うと共に、各内向片３１ａ，３２ａが下向き突起１８に係合して縦枠３０の上部と上枠１０が連結される。
【００１９】
前記下枠２０の上面板２０ｄ（上部２４の上横板２４ｂと下枠アタッチメント２２の上係合片２２ｂ）の長手方向端部における見込み方向両側寄りに一対の切欠凹部２７と上向き突起２８をそれぞれ形成する。
前記縦枠３０の一側面板３１、他側面板３２の下部寄りに下切欠凹部３６をそれぞれ形成する。
そして、縦枠３０の下部を下枠２０の上中空部２０ｃに挿入することで、図６に示すように各下切欠凹部３６と前述の下枠２０の切欠凹部２７が相互に嵌まり合うと共に、各内向片３１ａ，３２ａが上向き突起２８に係合して縦枠３０の下部と下枠２０が連結される。
【００２０】
前述の相互に嵌まり合う切欠凹部１７と上切欠凹部３５の長さの合計、切欠凹部２７と下切欠凹部３６の長さの合計は、縦枠３０の見付け寸法と同一又は長い。
これによって、縦枠３０の上部、下部を上枠１０の下中空部１０ｃ、下枠２０の上中空部２０ｃにそれぞれ嵌め込んで、その縦枠３０の一端面板３３と上枠１０、下枠２０の長手方向端面を面一としてある。
【００２１】
このようであるから、縦枠３０の上部、下部を上枠１０、下枠２０に押し込むようにすることで連結でき、その連結作業が簡単である。
また、切欠凹部１７，２７と上切欠凹部３５、下切欠凹部３６がそれぞれ嵌まり合うことで連結されるから、縦枠３０と上枠１０、下枠２０が見付け方向に動くことがなく、強固に連結されるので、枠体１が面内方向に変形し難い。
【００２２】
特に、この実施の形態では縦枠３０の上端部分が上枠１０の下中空部１０ｃに密嵌しているので、つまり上端面が中間横板１０ａ下面に接し、一側面板３１が上枠アタッチメント１２の内面に接し、他側面板３２が縦板１４ａの内面に接しているので、その縦枠３０の上端部分が上枠１０に見付け方向と見込み方向に強固に連結される。
また、縦枠３０の下端部分が下枠２０の上中空部２０ｃに密嵌しているので、つまり下端面が中間縦板２０ａの上面に接し、一側面板３１が下枠アタッチメント２２の内面に接し、他側面板３２が縦板２４ａの内面に接しているので、その縦枠３０の下端部分が下枠２０に見付け方向と見込み方向に強固に連結される。
【００２３】
また、縦枠３０の一端面板３３（つまり、縦枠３０の端面）がフェンス本体３の縦部を構成するので、その一端面板３３の外観意匠がフェンス本体３の縦部の外観意匠となるから、その一端面板３３にラミネートを貼ることによってフェンス本体３の縦部の外観意匠を見栄え良くできる。
また、縦枠３０と上枠１０、下枠２０を連結するために特別の部材を利用しないから、部材点数が多くなることもない。
【００２４】
なお、前述のように上枠１０、下枠２０と縦枠３０を連結した後に、上枠アタッチメント１２、下枠アタッチメント２２と縦枠３０の一側面板３１をビスによって固着することで、枠体１をより強固としても良い。
【００２５】
前記フェンス本体３は、縦枠３０を上枠１０、下枠２０の長手方向端部に連結して枠体１としたので、その枠体１の見付け方向の大きさ（つまり、一対の縦枠３０間の寸法）は上枠１０、下枠２０の長さに相当する大きさである。
これによって、枠体１に取付けた閉塞部材２を、その枠体１の４隅までに渡って取付けることが可能である。
【００２６】
次に、フェンス本体３の組立て順序の一例を説明する。
上枠１０、下枠２０の上枠本体１１、下枠本体２１から上枠アタッチメント１２、下枠アタッチメント２２を取り外した状態で、その上枠本体１１、下枠本体２１の下部１４、上部２４の下横板１４ｂ、上横板２４ｂに閉塞部材２が嵌まり込む切欠部、例えば井桁格子の縦格子２ａが嵌まり合う切欠部を形成する。
この各切欠部に縦格子２ａの上下部を嵌め込むことで井桁格子を上枠本体１１、下枠２１に取付ける。
この後に上枠アタッチメント１２、下枠アタッチメント２２をそれぞれ取付ける。
最後に前述のように縦枠３０を取付けてフェンス本体３とする。
前述のように、上枠本体１１と上枠アタッチメント１２で上枠１０とし、下枠本体２１と下枠アタッチメント２２で下枠２０とすることで、閉塞部材２の取付けが容易となるが、必ずしもこれに限ることはなく、上枠本体１１と上枠アタッチメント１２、下枠本体２１と下枠アタッチメント２２をそれぞれ一体として上枠１０、下枠２０としても良い。
【００２７】
次に、フェンス本体３の柱への取付けについて説明する。
図７に示すように、柱が自由柱４の場合には、自由柱４の下部寄りに下部支持金具４０を固着具４１で取付け、この下部支持金具４０の係止受片４０ａに下枠２０の一側垂下片２０ｅを係止して取付けると共に、上部固定金具４２を自由柱４に取付け、その上部固定金具４２で上枠１０を自由柱４の上部寄りに押し付けて取付ける。
【００２８】
図８に示すように、柱が端柱５、中柱６の場合や、図９に示すように、柱が専用角柱７の場合、さらには柱が図１０に示すようにフリー角柱８の場合には、図１１に示すように上枠１０の上中空部１０ｂに上枠金具４３を嵌め込んでビス４４で固着して取付けると共に、下枠２０の下中空部２０ｂに下枠金具４５を嵌め込んでビス４６で固着して取付ける。
前記上枠金具４３は連結用ビス４７を備え、下枠金具４５は下向きの係合凹部４８を有する。
【００２９】
前記端柱５、中柱６、専用角柱７、フリー角柱８は、そのフェンス取付用の側面５ａ，６ａ，７ａ，８ａに、前記フェンス本体３の面内方向の端部（上枠１０、下枠２０の長手方向端部）が嵌まり込む凹部５ｂ，６ｂ，７ｂ，８ｂを有する形状とする。この実施の形態では端柱５、中柱６、フリー角柱８は対向した２つの側面に凹部を有する同一断面形状で、端柱５の一方の凹部５ｂにカバー５ｃを取付けてある。
前記各凹部の底部における上部には、前記連結用ビス４７が挿通する切欠溝５ｄ，６ｃ，７ｃ，８ｃが形成されていると共に、下部には取付用ビス４９がそれぞれ螺合してある。
【００３０】
そして、連結用ビス４７を切欠溝５ｄ，６ｃ，７ｃ，８ｃに挿通すると共に、係合凹部４８を取付用ビス４９に係合してフェンス本体３を各柱に仮連結する。
この状態で連結用ビス４７に連結金具９を挿通し、その連結金具９を打ち込むことでクサビ作用で各柱と上枠金具４３を強固に連結することで、各柱とフェンス本体３を連結する。
【００３１】
このように、上枠１０の上中空部１０ｂ、下枠２０の下中空部２０ｂを利用して上枠金具４３、下枠金具４５を取付け、その上枠金具４３、下枠金具４５を用いてフェンス本体３を種々の柱に取付けできるから、この発明に係るフェンス本体３は種々の形態の柱に対応して取付けできる。
【００３２】
図１、図２に示すように、フェンス本体３を面内方向に順次連結してフェンスとすることがあり、その場合には上枠１０の上中空部１０ｂ、下枠２０の下中空部２０ｂを利用して連結具によって連結する。
例えば、図１２に示すようにフェンス本体３を一直線上に連結する場合には上連結具５０と下連結具５１を用いて連結する。
前記上連結具５０は、プレート５０ａの両側面に突起５０ｂをそれぞれ設けた形状で、この突起５０ｂを上枠１０の上中空部１０ｂに嵌合して隣接した上枠１０を連結する。
前記下連結具５１はプレート５１ａの両側面に突起５１ｂをそれぞれ設けたもので、その突起５１ｂを下枠２０の下中空部２０ｂに嵌合して隣接した下枠２０を連結する。
前述のように突起の嵌合だけでは連結強度が弱い場合には、突起をビス５２で固着しても良い。
【００３３】
前述のようにフェンス本体３を連結した場合に、前述のように枠体１の縦枠３０の一端面板３３と上枠１０、下枠２０の長手方向端面が面一であるから、隣接したフェンス本体３の縦枠３０相互間の隙間は前述のプレート５０ａ，５１ａの厚さ分だけの小さな隙間で、見栄えが良い。
【００３４】
また、面内方向の端部に位置するフェンス本体３の上枠１０の上中空部１０ｂ、下枠２０の下中空部２０ｂの長手方向一端部は開放しているので、上エンドキャップ５３、下エンドキャップ５４を取付けて閉塞する。
前記上エンドキャップ５３はプレート５３ａの一側面に突起５３ｂを設けたもので、その突起５３ｂを上枠１０の上中空部１０ｂに嵌合して取付ける。
前記下エンドキャップ５４はプレート５４ａの一側面に突起５４ｂを設けたもので、その突起５４ｂを下枠２０の下中空部２０ｂに嵌合して取付ける。
前述のように、突起の嵌合だけでは取付け強度が弱い場合にはビス５５で突起を固着するようにしても良い。
【００３５】
また、隣接したフェンス本体３を９０度などの所定の角度で連結する場合には、上コーナー継手５６と下コーナー継手５７を用いて上枠１０相互、下枠２０相互を連結する。
前記上コーナー継手５６は本体５６ａに一対の突起５６ｂを所定の角度として設けたもので、その突起５６ｂを上枠１０の上中空部１０ｂに嵌合して隣接した上枠１０を所定の角度で連結する。
前記下コーナー継手５７は本体５７ａに一対の突起５７ｂを所定の角度として設けたもので、その突起５７ｂを下枠２０の下中空部２０ｂに嵌合して隣接した下枠２０を所定角度で連結する。
前述のように、突起の嵌合だけでは連結強度が弱い場合には突起をビス５８で固着しても良い。図１２においては閉塞部材２と縦枠３０が省略してある。
【００３６】
前述のフェンス本体３は所定の長さ（面内方向の長さ）として製作するので、その取付ける場所の長さ等によってはフェンス本体３を任意の長さに切断しなければならない。
例えば、フェンス全長がフェンス本体３の所定の長さの整数倍であれば何ら問題がないが、フェンス全長がフェンス本体３の所定の長さの整数倍±Ｌの長さである場合には、（所定の長さ−Ｌ）の長さのフェンス本体３、Ｌの長さのフェンス本体３が必要となり、所定の長さのフェンス本体３を切断して前述の長さのフェンス本体３としなければならない。
【００３７】
具体的には、図１３に示すように上枠１０、下枠２０、閉塞部材２を切断して不要部３ａと必要部３ｂとする。
このようにした場合にはフェンス本体３の必要部３ｂの見付け方向一端部に縦枠３０が無いので、その縦枠３０を取付ける必要がある。
しかし、上枠１０、下枠２０の切断した端部には前述の縦枠３０を連結するための切欠凹部１７，２７が無いので、前述のようにして縦枠３０を連結するには切欠凹部１７，２７を加工しなければならず、大変面倒である。特に、前述のフェンス本体３の切断作業はフェンスの施工現場で行われているから、切欠凹部を加工する工具や設備が無いので、その切欠凹部の加工ができないことがある。
【００３８】
そこで、この実施の形態では補助縦枠（端部カバー材）６０を準備し、この補助縦枠６０を切断したフェンス本体３の切断端部に取付ける。
前記補助縦枠６０は図１４に示すように、枠材６１の上部に上取付体６２を取付けると共に、枠体６１の下部に下取付体６３を取付けたものである。
前記枠材６１は一側面板６１ａと他側面板６１ｂと一端面板６１ｃで断面ほぼコ字形状、つまり前述の縦枠３０と同一の断面形状で、前述の上枠１０の下面板１０ｄと下枠２０の上面板２０ｄとの間の寸法と同一の長さである。
【００３９】
前記上取付体６２は枠体６４と嵌合用枠６５を備え、その枠体６４は下枠部６４ａと上枠部６４ｂを有し、その下枠部６４ａと連続して嵌合用枠６５が設けてある。
前記下枠部６４ａは上枠１０の下中空部１０ｃと同一大きさで、同一形状であり、上枠部６４ｂは上枠１０の上中空部１０ｂと同一大きさで、同一形状である。
前記嵌合用枠６５は上枠１０の下中空部１０ｃに嵌合する形状で、この嵌合用枠６５を上枠１０の下中空部１０ｃに嵌合して取付けることによって、その枠体６４が上枠１０の長手方向の端面に接して面一に連続すると共に、下枠部６４ａ、上枠部６４ｂが上枠１０の下中空部１０ｃ、上中空部１０ｂと連続する。
このようであるから、上枠１０の上中空部１０ｂに図１１に示すと同様に上枠金具４３を取付けしたり、図１２に示すと同様に上連結具５０、上エンドキャップ５３、上コーナー継手５６を取付けできる。
【００４０】
前記下取付体６３は枠体６６と嵌合用枠６７を備え、その枠体６６は上枠部６６ａと下枠部６６ｂを有し、その上枠部６６ａと連続して嵌合用枠６７が設けてある。
前記上枠部６６ａは下枠２０の上中空部２０ｃと同一大きさで、同一形状であり、下枠部６６ｂは下枠２０の下中空部２０ｂと同一大きさで、同一形状である。
前記嵌合用枠６７は下枠２０の上中空部２０ｃに嵌合する形状で、この嵌合用枠６７を下枠２０の上中空部２０ｃに嵌合して取付けることによって、その枠体６６が下枠２０の長手方向の端面に接して面一に連続すると共に、上枠部６６ａ、下枠部６６ｂが下枠２０の上中空部２０ｃ、下中空部２０ｂと連続する。
このようであるから、下枠２０の下中空部２０ｂに図１１に示すと同様に下枠金具４５を取付けしたり、図１２に示すと同様に下連結具５１、下エンドキャップ５４、下コーナー継手５７を取付けできる。
【００４１】
なお、フェンス本体３を前述のように切断する際には、閉塞部材２が井桁格子の場合には横格子２ｂが縦格子２ａよりも突出した状態で切断することが好ましい。
【００４２】
次に、縦枠と上枠、下枠の連結の第２の実施の形態を説明する。
図１５に示すように、上枠１０の中間横板１０ａの下面と、下枠２０の中間横板２０ａの上面に連結用ブロック７０をビス７１でそれぞれ取付け、その連結用ブロック７０を上枠１０の下中空部１０ｃ、下枠２０の上中空部２０ｃに位置させる。
この連結用ブロック７０は縦枠３０の開口部３０ａ内に挿通する幅狭部７２と幅広部７３でほぼＴ字形状で、その幅狭部７２の両側面に係合部７４が形成してある。
この係合部７４に開口部３０ａの開口縁部、例えば内向片３１ａ，３１ｂが係合するようにしてある。
この連結用ブロック７０には上下面に開口した第１孔７５と、幅狭部７２の先端面に開口した第２孔７６が形成してある。
前記第１孔７５からビス７１を中間横板１０ａ，２０ａに螺合して連結用ブロック７０を取付ける。
【００４３】
前記上枠１０の下面板１０ｄ、下枠２０の上面板２０ｄには縦枠３０が嵌まり込む切欠部７７がそれぞれ形成してある。
縦枠３０の上部を上枠１０の切欠部７７に嵌め込むと同時に下部を下枠２０の切欠部７７に嵌め込んで内向片３１ａ，３２ａの上部と下部を連結用ブロック７０の係合部７４にそれぞれ係合して縦枠３０を上枠１０と下枠２０に連結する。
そして、縦枠３０の一端面板３３に形成した孔７８を挿通したビス７９を連結用ブロック７０の第２孔７６に螺合して縦枠３０を上枠１０、下枠２０に強固に連結する。
【００４４】
このようであるから、前述のビス７９は見付け方向に向かうので、そのビス７９で連結用ブロック７０と縦枠３０が見付け方向に強固に連結され、縦枠３０が上枠１０、下枠２０に対して見付け方向に動くことがなく、枠体１が見付け方向（面内方向）に変位し難い。
【００４５】
この実施の形態によれば、図１５に仮想線で示すように縦枠３０の一側面板３１、他側面板３２が切欠部７７に接すると共に、縦枠３０の一端面板３３が上枠１０、下枠２０の長手方向の端面と面一、又はビス７９の頭部の突出寸法だけ内側寄りで、ビス７９の頭部が上枠１０、下枠２０の長手方向の端面よりも突出しないようにする。
【００４６】
次に、縦枠と上枠、下枠の連結の第３の実施の形態を説明する。
図１６に示すように、上枠１０の中間横板１０ａの下面に上ブラケット８０をビス８１で取付けて下中空部２０ｃ内に位置させる。
前記上枠１０の下面板１０ｄに切欠部８３を形成する。
前記下枠２０の中間横板２０ａの上面に下ブラケット８４をビス８１で固着して取付け、その下ブラケット８４を上中空部２０ｃ内に位置させる。
下枠２０の上面板２０ｄに切欠部８５を形成する。
前記縦枠３０の見込み方向一側寄りの上下部分、例えば一側面板３１の上下部分と一端面板３３の一側面板３１寄りの上下部分に渡って切欠部８６をそれぞれ形成し、縦枠３０における切欠８６以外の残存した上下部分３０ａ，３０ｂを図１７に示すように前述の上枠１０、下枠２０の切欠部８３，８５より下中空部１０ｃ、上中空部２０ｃ内に挿入して上ブラケット８０、下ブラケット８４にそれぞれビス８７で固着して縦枠３０を上枠１０、下枠２０に連結する。
【００４７】
このように、縦枠３０と上下ブラケット８０，８４を見付け方向に向かうビス８７で固着したので、その縦枠３０は見付け方向に強固に連結されて動くことがなく、枠体１は見付け方向（面内方向）に変位し難い。
【００４８】
この実施の形態によれば、前述のように縦枠３０の上下部分の切欠部８６の上端面８６ａ、下端面８６ｂが上枠１０の下面板１０ｄ、下枠２０の上面板２０ｄにそれぞれ接しているので、その接触部によって縦枠３０が上枠１０、下枠２０に対して見付け方向に動くことを規制し、縦枠３０と上枠１０、下枠２０が見付け方向に動き難くより強固に連結される。
【００４９】
つまり、上枠１０の切欠部８３、下枠２０の切欠部８５の見込み方向の寸法は縦枠３０の見込み寸法よりも小さく、かつ縦枠３０の残存部分３０ａ，３０ｂの見込み寸法と同一又は大きくなっている。
この実施の形態では、上枠本体１１の下部１４の下横板１４ｂを鉤形に切欠して切欠部８３とし、上枠アタッチメント１２は切欠しないようにしてあると共に、下枠本体２１の上部２４の上横板２４ｂを鉤形に切欠して切欠部８５とし、下枠アタッチメント２２は切欠しないようにしてある。
【００５０】
図１７に示すように、上枠１０の上中空部１０ｂ、下枠２０の下中空部２０ｂにキャップ８８が嵌合して取付けてあり、このキャップ８８によって上枠１０、下枠２０の長手方向端部を覆っている。
前記キャップ８８はプレート８８ａに突起部８８ｂを設けたもので、その突起８８ｂを上中空部１０ｂ、下中空部２０ｂに嵌合して取付け、プレート８８ａを上枠１０、下枠２０の長手方向端面に接して長手方向端部を覆う。
【００５１】
次に、縦枠と上枠、下枠の連結の第４の形態を説明する。
図１８に示すように、縦枠３０の一側面板３１、他側面板３２の長手方向両端部分（上下端部分）を切断して除去し、一端面板３３の長手方向両端部分、つまり上端部分３３ａ、下端部分３３ｂを一側面板３１、他側面板３２の長手方向両端面、つまり上端面３１ｂ，３２ｂ、下端面３１ｃ，３２ｃよりも突出させる。
この縦枠３０の一端面板３３における上端部分３３ａ、下端部分３３ｂを上枠１０、下枠２０の長手方向端面にそれぞれ当接すると共に、一側面板３１、他側面板３２を上枠１０と下枠２０との間に位置させる。
好ましくは、一側面板３１、他側面板３２の上端面３１ｂ，３２ｂを上枠１０の下面板１０ｄに当接し、下端面３１ｃ，３２ｃを下枠２０の上面板２０ｄに当接する。
【００５２】
そして、図１９に示すように一端面板３３の上端部分３３ａ、下端部分３３ｂに上プレート９０、下プレート９１をそれぞれ接し、その上プレート９０の孔９０ａ、一端面板３３の上部孔３３ｃを挿通してビス９２を上枠１０のビスホール９３に螺合して一端面板３３の上端部分３３ａを上枠１０の端面に突き当て連結する。
前記下プレート９１の孔９１ａ、一端面板３３の下部孔３３ｄを挿通してビス９４を下枠２０のビスホール９５に螺合して一端面板３３の下端部分３３ｂを下枠２０の端面に突き当て連結する。
【００５３】
このようであるから、見付け方向に向かうビス９２，９４を上枠１０、下枠２０の長手方向に向かうビスホール９３，９５に螺合して縦枠３０を上枠１０、下枠２０の長手方向の端面に突き当て連結したので、縦枠３０が上枠１０、下枠２０に対して見付け方向に動くことがない。
よって、枠体１が見付け方向、つまり面内方向に変位し難い。
【００５４】
また、この実施の形態によれば、一側面板３１、他側面板３２の上端面３１ｂ，３２ｂが上枠１０の下面板１０ｄに当接し、下端面３１ｃ，３２ｃが下枠２０の上面板２０ｄに当接しているから、その当接部分によって縦枠３０が見付け方向に動かないように支持され、枠体１が見付け方向、つまり面内方向により一層変位し難くなる。
【００５５】
前記一端面板３３の下端部分は打ち出し加工され、その打ち出し加工部分３３ｅに下向き凹部９６が形成していある。
前記上プレート９０に連結用ビス９７が螺合してある。
このようであるから、前述の図８、図９、図１０に示すと同様に連結金具９を用いてくさび作用で柱に連結できる。
【００５６】
前記下プレート９１の下端部には切欠部９１ｂが形成され、この切欠部９１ｂに取付用ビスが嵌合するようにしてあるので、前述の連結金具９を用いて柱に強固に連結できる。
また、上プレート９０の下端部にも切欠部９０ｂが形成され、下プレート９１には連結用ビス９７が螺合する孔９１ｃが形成され、前述の上プレート９０と下プレート９１は同一形状で、兼用できるようにしてある。
【図面の簡単な説明】
【００５７】
【図１】井桁格子を用いたフェンス本体より成るフェンスの正面図である。
【図２】ラチス格子を用いたフェンス本体より成るフェンスの正面図である。
【図３】図１のＡ−Ａ拡大断面図である。
【図４】図１のＢ−Ｂ拡大断面図である。
【図５】上枠、下枠、縦枠の分解斜視図である。
【図６】上枠、下枠と縦枠を連結した状態の正面図である。
【図７】フェンス本体を自由柱に取付けた状態の側面図である。
【図８】フェンス本体を端柱、中柱に取付ける状態の分解した斜視図である。
【図９】フェンス本体を専用角柱に取付ける状態の分解した斜視図である。
【図１０】フェンス本体をフリー角柱に取付ける状態の分解した斜視図である。
【図１１】上枠、下枠と上枠金具、下枠金具の分解斜視図である。
【図１２】フェンス本体の連結状態を説明する分解した斜視図である。
【図１３】フェンス本体を切断した状態の正面図である。
【図１４】補助縦柱とフェンス本体の分解斜視図である。
【図１５】上枠、下枠と縦枠の連結の第２の実施の形態を示す分解した斜視図である。
【図１６】上枠、下枠と縦枠の連結の第３の実施の形態を示す分解した斜視図である。
【図１７】連結した状態の斜視図である。
【図１８】上枠、下枠と縦枠の連結の第４の実施の形態を示す分解した斜視図である。
【図１９】連結した状態の斜視図である。
【符号の説明】
【００５８】
１…枠体、２…閉塞部材、３…フェンス本体、４…自由柱、５…端柱、６…中間柱、７…専用角柱、８…フリー角柱、９…連結金具、１０…上枠、１０ｂ…上中空部、１０ｃ…下中空部、１０ｄ…下面板、１１…上枠本体、１２…上枠アタッチメント、１７…切欠凹部、２０…下枠、２０ｂ…下中空部、２０ｃ…上中空部、２０ｄ…上面板、２７…切欠凹部、３０…縦枠、３１…一側面板、３２…他側面板、３３…一端面板、３５…上切欠凹部、３６…下切欠凹部。
【図１】
2005315008.tif 000003
【図２】
2005315008.tif 000004
【図３】
2005315008.tif 000005
【図４】
2005315008.tif 000006
【図５】
2005315008.tif 000007
【図６】
2005315008.tif 000008
【図７】
2005315008.tif 000009
【図８】
2005315008.tif 000010
【図９】
2005315008.tif 000011
【図１０】
2005315008.tif 000012
【図１１】
2005315008.tif 000013
【図１２】
2005315008.tif 000014
【図１３】
2005315008.tif 000015
【図１４】
2005315008.tif 000016
【図１５】
2005315008.tif 000017
【図１６】
2005315008.tif 000018
【図１７】
2005315008.tif 000019
【図１８】
2005315008.tif 000020
【図１９】
2005315008.tif 000021